(57)【特許請求の範囲】
【請求項１】
上下方向に貫通する貫通孔を有する栓本体の左右に第１、第２切換部を備え、この第１、第２切換部を操作することにより浄水器を通さない湯、水、湯水混合水、および前記浄水器を通して浄化した浄水を、前記貫通孔に挿通された吐水管部を介して吐水可能な湯水混合水栓であって、
前記栓本体は、軸方向を水平にして左右に延びる円筒状のコア部を備え、該コア部の前後方向中央には上下方向に貫通する前記貫通孔が設けられ、
前記貫通孔と前記コア部の左右いずれか一方の端部との間に、軸線をいずれも上下方向に延ばした給湯路と給水路と湯水混合吐出路と浄水器給水路が設けられ、
前記コア部の前記一方の端部には、前記給湯路に接続された湯入口ポートと、前記給水路に接続された第１水入口ポートと、前記湯水混合吐出路に接続された湯水混合出口ポートが形成されていて、前記コア部の前記一方の端部側に設けられた前記第１切換部によって、前記第１水入口ポートと前記湯入口ポートの一方または両方を前記湯水混合出口ポートに連通可能および遮断可能であり、
前記コア部の他方の端部には、前記浄水器給水路に接続された浄水器給水ポートと、前記給水路に接続された第２水入口ポートが形成されていて、前記コア部の前記他方の端部側に設けられた前記第２切換部によって、前記浄水器給水ポートと前記第２水入口ポートが連通・遮断可能であり、
前記湯水混合吐出路および前記浄水器の浄水出口が前記吐水管部に接続される湯水混合水栓。
【請求項２】
前記給湯路と前記給水路と前記湯水混合吐出路と前記浄水器給水路は、前記貫通孔の外周に沿って配置されている請求項１に記載の湯水混合水栓。
【請求項３】
前記湯水混合吐出路と前記浄水器給水路は、前後方向において前記給湯路と前記給水路の間に配置されている請求項１または請求項２に記載の湯水混合水栓。
【請求項４】
前記給湯路と前記湯入口ポートは直線通路によって接続され、前記給水路と前記第１水入口ポートは直線通路によって接続され、前記湯水混合吐出路と前記湯水混合出口ポートは直線通路によって接続され、前記浄水器給水路と前記浄水器給水ポートは直線通路によって接続されている請求項１から請求項３のいずれか１項に記載の湯水混合水栓。
【請求項５】
前記吐水管部は前記貫通孔を挿通可能なホースであり、該ホースを挿通させる筒状のホルダが前記コア部に設置されている請求項１から請求項４のいずれか１項に記載の湯水混合水栓。
【請求項６】
前記第１切換部は前記コア部の軸回りに前後方向に回動操作するように構成されており、その回動操作範囲が後方側よりも前方側に大きい請求項１から請求項５のいずれか１項に記載の湯水混合水栓。
【発明の詳細な説明】
【技術分野】
【０００１】
この発明は、ハンドル操作により湯、水、湯水混合水、浄水を切り換えて吐出可能な湯水混合水栓に関するものである。
【背景技術】
【０００２】
左右２つのハンドルを操作することにより、浄水器を通さない湯、水、湯水混合水、および浄水器を通して浄化した浄水を吐水可能とした湯水混合水栓が知られている（例えば、特許文献１参照）。
【０００３】
従来のこの種の湯水混合水栓１００を図１５から図１７の図面を参照して説明する。
図１５は従来の湯水混合水栓１００を正面斜め左上から見た外観図であり、湯水混合水栓１００は、鋳造又は鍛造により十の字形に一体成形された金属製の栓本体１０１を有し、この栓本体１０１において下方に延びる脚部１０２が流し台等に設置され、栓本体１０１において水平方向に延びる円筒状のアーム部１０３の左側に浄水バルブ１０４が取り付けられ、右側に湯水バルブ１０５が取り付けられ、栓本体１０１において上方に延びるネック部１０６に金属製パイプからなるホルダ１０７が左右に回動可能に取り付けられ、ホルダ１０７の先端にノズル１０８が離脱可能に取り付けられている。このノズル１０８はホルダ１０７内に収納されたシャワーホース（図示略）に接続されていて、ノズル１０８をホルダ１０７から外し、ノズル１０８に接続された前記シャワーホースをホルダ１０７から引き出して使用することができるようになっている。
【０００４】
湯水バルブ１０５の操作レバー１０５ａは、左右方向に傾転可能で且つ前後方向に回動可能になっている。図１５は、操作レバー１０５ａを左方に傾転して上方に真っ直ぐ起立させた状態を示しており、このように操作レバー１０５ａを左方に傾転すると湯水バルブ１０５が閉弁され、水および湯および湯水混合水はノズル１０８から吐水されない。図１５の状態から操作レバー１０５ａを右方に傾転すると湯水バルブ１０５が開弁され、ノズル１０８から水または湯または湯水混合水原水を吐水することができ、さらにその右傾姿勢を保ちつつ操作レバー１０５ａを前後方向に回転することにより湯水混合水の温度を調節することができるようになっている。例えば、操作レバー１０５ａを手前側に５０度回転すると水を吐水することができ、後方側に５０度回転すると高温の湯を吐水することができ、その間における前後方向の回転角度を調整して水と湯との混合比を変えることで、所望の温度の湯水混合水を吐水することができる。
【０００５】
浄水バルブ１０４の操作部１０４ａは前後方向に回動可能になっている。図１５は、操作部１０４ａの突起部１０４ｂを上方に向けた状態を示しており、このように突起部１０４ｂを上方に向けると浄水用バルブ１０４は開弁されて、ノズル１０８から浄水が吐水される。なお、ノズル１０８から浄水を吐水するときには、湯水バルブ１０５の操作レバー１０５ａを閉弁姿勢にしておく。そして、浄水を止水するときには、浄水バルブ１０４の操作部１０４ａを図１５の状態から奥側に９０度回転させる。これにより、浄水バルブ１０４が閉弁され、ノズル１０８からの浄水は止水される。
【０００６】
この湯水混合水栓１００の栓本体１０１内部の流路構造を図１６を参照して説明すると、栓本体１０１には脚部１０２からネック部１０６に貫通するシャワーホース挿通孔１１０が設けられていて、正面から見てシャワーホース挿通孔１１０よりも後方側に、右から左に順番に、湯水混合吐出路１１１、給湯路１１２、給水路１１３、浄水器給水路１１４がそれぞれ垂直方向に設けられている。
図１７は、湯水混合水栓１００を下方から見た底面図であり、脚部１０２の内側底部に、シャワーホース挿通孔１１０、湯水混合吐出路１１１、給湯路１１２、給水路１１３、浄水器給水路１１４が開口している。
【０００７】
アーム部１０３の右側内部端面には湯水混合出口ポート１１５、湯入口ポート１１６、水入口ポート１１７が形成されている。湯水混合水出口ポー１１５は下側に配置され、湯入口ポート１１６と水入口ポート１１７は湯水混合出口ポート１１５よりも上側に位置し水平に並んで配置されていて、手前側が水入口ポート１１７、後方側が湯入口ポート１１６となっている。湯水混合出口ポート１１５は湯水混合吐出路１１１に接続され、湯入口ポート１１６は給湯路１１２に接続され、水入口ポート１１７は給水路１１３に接続されている。これら湯水混合出口ポート１１５、湯入口ポート１１６、水入口ポート１１７が湯水バルブ１０５によって接続・遮断および開度調節される。
【０００８】
また、アーム部１０３の左側内部端面には、浄水器給水ポート１１８と、図１６では浄水器給水ポート１１８の背部に隠れて図示されていない浄水器水入口ポートが形成されている。浄水器水入口ポートは給水路１１３に接続され、浄水器給水ポート１１８は浄水器給水路１１４に接続されている。浄水器水入口ポートと浄水器給水ポート１１８が前記浄水用バルブによって接続・遮断される。
【０００９】
そして、流し台下において、湯水混合水栓１００の湯水混合吐出路１１１は前記シャワーホースに接続され、給湯路１１２はフレキシブルホース等を介して建物の湯配管（いずれも図示略）に接続され、給水路１１３はフレキシブルホース等を介して建物の水配管（いずれも図示略）に接続され、浄水器給水路１１４はホース等を介して流し台下に設置された浄水器（いずれも図示略）に接続される。また、浄水器の浄水出口はホースおよびジョイント（いずれも図示略）等を介して前記シャワーホースに接続される。
【先行技術文献】
【特許文献】
【００１０】
【特許文献１】特開平７−９８０６９号公報
【発明の概要】
【発明が解決しようとする課題】
【００１１】
ところで、一般に、水配管と湯配管を備える建物においては、正面から見て右側に水配管が配管され、左側に湯配管が配管されている。しかしながら、前述したように従来の湯水混合水栓１００においては、正面から見て右側に給湯路１１２が設けられ、左側に給水路１１３が設けられている。そのため、給水路１１３を前記水配管にフレキシブルホースで接続し、給湯路１１２を前記湯配管にフレキシブルホースで接続すると、二つのフレキシブルホースが交差するようになり、極めて作業性が悪く、作業者の負担が大きかった。
【００１２】
また、湯水混合水栓１００においては、ホルダ１０７が連結されるネック部１０６をアーム部１０３の前後方向中央に配置する方が、前後の重量バランスが良く、また意匠上も好ましいが、従来の湯水混合水栓１００では、正面から見てシャワーホース挿通孔１１０の後方側に、湯水混合吐出路１１１、給湯路１１２、給水路１１３、浄水器給水路１１４を配置しているので、シャワーホース挿通孔１１０（換言するとネック部１０６）をアーム部１０３の前後方向中央に配置するとアーム部１０３の直径を大きくせざるを得なくなり、その結果、重量が嵩み、コストアップとなってしまう。
【００１３】
そのため、従来の湯水混合水栓１００では、図１５および図１７に示すように、ネック部１０６（シャワーホース挿通孔１１０）をアーム部１０３の前後方向中央よりも手前側にオフセットして配置することで、アーム部１０３の直径を小さくしているが、これだと前後の重量バランスが悪くなり、また、意匠性も犠牲にせざるを得ないという課題がある。
【００１４】
そこで、この発明は、配管作業性がよく、小型軽量で、意匠性にも優れた湯水混合水栓を提供することにある。
【課題を解決するための手段】
【００１５】
この発明に係る湯水混合水栓では、上記課題を解決するために以下の手段を採用した。
請求項１に係る発明は、上下方向に貫通する貫通孔を有する栓本体の左右に第１、第２切換部を備え、この第１、第２切換部を操作することにより浄水器を通さない湯、水、湯水混合水、および前記浄水器を通して浄化した浄水を、前記貫通孔に挿通された吐水管部を介して吐水可能な湯水混合水栓であって、
前記栓本体は、軸方向を水平にして左右に延びる円筒状のコア部を備え、該コア部の前後方向中央には上下方向に貫通する前記貫通孔が設けられ、
前記貫通孔と前記コア部の左右いずれか一方の端部との間に、軸線をいずれも上下方向に延ばした給湯路と給水路と湯水混合吐出路と浄水器給水路が設けられ、
前記コア部の前記一方の端部には、前記給湯路に接続された湯入口ポートと、前記給水路に接続された第１水入口ポートと、前記湯水混合吐出路に接続された湯水混合出口ポートが形成されていて、前記コア部の前記一方の端部側に設けられた前記第１切換部によって、前記第１水入口ポートと前記湯入口ポートの一方または両方を前記湯水混合出口ポートに連通可能および遮断可能であり、
前記コア部の他方の端部には、前記浄水器給水路に接続された浄水器給水ポートと、前記給水路に接続された第２水入口ポートが形成されていて、前記コア部の前記他方の端部側に設けられた前記第２切換部によって、前記浄水器給水ポートと前記第２水入口ポートが連通・遮断可能であり、
前記湯水混合吐出路および前記浄水器の浄水出口が前記吐水管部に接続される湯水混合水栓である。
【００１６】
請求項２に係る発明は、請求項１に記載の発明において、前記給湯路と前記給水路と前記湯水混合吐出路と前記浄水器給水路は、前記貫通孔の外周に沿って配置されている湯水混合水栓である。
【００１７】
請求項３に係る発明は、請求項１または請求項２に記載の発明において、前記湯水混合吐出路と前記浄水器給水路は、前後方向において前記給湯路と前記給水路の間に配置されている湯水混合水栓である。
【００１８】
請求項４に係る発明は、請求項１から請求項３のいずれか１項に記載の発明において、前記給湯路と前記湯入口ポートは直線通路によって接続され、前記給水路と前記第１水入口ポートは直線通路によって接続され、前記湯水混合吐出路と前記湯水混合出口ポートは直線通路によって接続され、前記浄水器給水路と前記浄水器給水ポートは直線通路によって接続されている湯水混合水栓である。
【００１９】
請求項５に係る発明は、請求項１から請求項４のいずれか１項に記載の発明において、前記吐水管部は前記貫通孔を挿通可能なホースであり、該ホースを挿通させる筒状のホルダが前記コア部に設置されている湯水混合水栓である。
【００２０】
請求項６に係る発明は、請求項１から請求項５のいずれか１項に記載の発明において、前記第１切換部は前記コア部の軸回りに前後方向に回動操作するように構成されており、その回動操作範囲が後方側よりも前方側に大きい湯水混合水栓である。
【発明の効果】
【００２１】
請求項１に係る発明によれば、湯水混合水栓の給水路をフレキシブルホース等の接続配管で建物の水配管に接続し、給湯路をフレキシブルホース等の接続配管で建物の湯配管に接続するときに、接続配管を交差させないで配管することができるので、従来に比べて作業性が極めてよくなる。
また、貫通孔をコア部の前後方向中央に配置したので、湯水混合水栓の前後の重量バランスがよくなり、意匠性も向上する。さらに、貫通孔をコア部の前後方向中央に配置させつつ、コア部の直径を小さくすることができ、湯水混合水栓を小型、軽量にすることができる。
請求項２に係る発明によれば、コア部の直径をより小さくすることができる。
請求項３に係る発明によれば、給湯路と給水路の間に湯水混合吐出路と浄水器給水路を配置することで、給湯路と給水路を前後方向に離れて配置することができる。
請求項４に係る発明によれば、給湯路と湯入口ポート、および、給水路と第１水入口ポート、および、湯水混合吐出路と湯水混合出口ポート、および、浄水器給水路と浄水器給水ポートを、それぞれ最短距離で接続することができるとともに、加工が容易になる。
請求項５に係る発明によれば、ホースをホルダから引き出して使用することができ、使い勝手が向上する。
請求項６に係る発明によれば、第１切換部に操作レバーを設けた場合に、湯水混合水栓の後方側の設置スペースが狭い場所にも設置可能となるとともに、操作性も向上する。
【図面の簡単な説明】
【００２２】
【図１】この発明に係る湯水混合水栓の実施例における外観斜視図である。
【図２】前記実施例の湯水混合水栓における要部の正面図である。
【図３】前記要部の右側面図である。
【図４】前記要部の左側面図である。
【図５】前記実施例の湯水混合水栓における栓本体のコア部の正面図である。
【図６】前記コア部の平面図である。
【図７】前記コア部の底面図である。
【図８】前記コア部の右側面図である。
【図９】前記コア部の左側面図である。
【図１０】前記コア部を右斜め上から見た外観斜視図である。
【図１１】前記コア部を右斜め下から見た外観斜視図である。
【図１２】前記コア部の内部に形成された流路を説明するための図であって、コア部を斜め左上から見た透視図である。
【図１３】前記コア部の内部に形成された流路を説明するための図であって、コア部を斜め左下から見た透視図である。
【図１４】前記実施例の湯水混合水栓における流れ図である。
【図１５】従来の湯水混合水栓の外観斜視図である。
【図１６】前記従来の湯水混合水栓における内部に形成された流路の概略図である。
【図１７】前記従来の湯水混合水栓の底面図である。
【発明を実施するための形態】
【００２３】
以下、この発明に係る湯水混合水栓の実施例を図１から図１４の図面を参照して説明する。
図１は実施例における湯水混合水栓１を正面斜め右上から見た外観斜視図であり、図１において、矢印Ｘ１−Ｘ２は左右方向、矢印Ｙ１−Ｙ２は前後方向、矢印Ｚ１−Ｚ２は上下方向を示しており、以下の説明において方向についての記載はこれに準ずるものとする。
【００２４】
湯水混合水栓１は、栓本体２と、栓本体２の上部に取り付けられたホルダ３と、栓本体２の右端部に設けられた湯水バルブ４と、栓本体２の左端部に設けられた浄水バルブ５と、ホルダ３の先端に配置されたノズル６とを主要な構成としている。
栓本体２は、軸方向を水平にして左右に延びる円筒状の金属製のコア部１０と、このコア部１０の下部における左右方向ほぼ中央に連結固定された中空筒状の金属製の脚部１１とから構成されており、脚部１１が例えば流し台の上に設置される。前述したホルダ３はコア部１０の上部に取り付けられ、湯水バルブ４はコア部１０の右端部に設けられ、浄水バルブ５はコア部１０の左端部に設けられている。
【００２５】
コア部１０について、図５から図１３の図面を参照して詳述する。図５はコア部１０の正面図、図６は同平面図、図７は同底面図、図８は同右側面図、図９は同左側面図であり、図１０はコア部１０を斜め右上から見た外観斜視図、図１１は斜め右下から見た外観斜視図である。
【００２６】
コア部１０の下面には、左右方向の中央で且つ前後方向の中央に、脚部１１が螺合される有底の脚取付穴１２が形成されており、コア部１０の上面には、脚取付穴１２よりも若干左寄りで前後方向の中央に、ホルダ３が挿入される有底のホルダ取付穴１３が形成されている。
【００２７】
コア部１０には、ホルダ取付穴１３から脚取付穴１２に上下方向に貫通するシャワーホース挿通孔１４が設けられている。シャワーホース挿通孔１４の軸中心は、図６に示すようにホルダ取付穴１３の軸中心と同軸上に配置されており、図７に示すように脚取付穴１２の軸中心よりも左寄りに配置されている。
【００２８】
コア部１０には、脚取付穴１２の底面における右半分の領域に開口する４つの通路がそれぞれ軸線を上下方向に延ばし、シャワーホース挿通孔１４と干渉しないように配置されて設けられている。この４つの通路とは、給水路１５、浄水器給水路１６、湯水混合吐出路１７、給湯路１８であり、平面視では、シャワーホース挿通孔１４の外周に沿って配置されていて、前方側から後方側へ順番に、給水路１５、浄水器給水路１６、湯水混合吐出路１７、給湯路１８と配置されている。すなわち、給水路１５と給湯路１８との間に浄水器給水路１６と湯水混合吐出路１７が配置されている。
【００２９】
また、図１０に示すように、コア部１０の右端部には、湯水バルブ４が螺着される有底のバルブ取付穴２０が形成されており、図８に示すように、バルブ取付穴２０の底部には、湯入口ポート２１と第１水入口ポート２２と湯水混合出口ポート２３が設けられている。湯水混合出口ポート２３はバルブ取付穴２０の中央やや斜め下後寄りに配置されており、湯入口ポート２１は湯水混合出口ポート２３の若干斜め上前寄りに配置されており、第１水入口ポート２２は、上下方向において湯水混合出口ポート２３と湯入口ポート２１の間で、これらポート２１，２３よりも前方側に配置されている。なお、これは、図１６に示される従来の湯水混合水栓１００における湯入口ポート１１６、水入口ポート１１７、湯水混合出口ポート１１５の相互の位置関係を維持しつつ、右側面視において反時計回り方向に約４０度回転した位置に対応する。
【００３０】
そして、図１２、図１３の透視図に示すように、湯入口ポート２１はコア部１０の内部に直線状に設けられた直線路２４を介して給湯路１８に接続され、第１水入口ポート２２はコア部１０の内部に直線状に設けられた直線路２５を介して給水路１５に接続され、湯水混合出口ポート２３はコア部１０の内部に直線状に設けられた直線路２６を介して湯水混合吐出路１７に接続されている。なお、これら直線路２４，２５，２６は、互いに干渉せず、且つ、シャワーホース挿通孔１４とも干渉しないように配置されている。このように、直線路２４，２５，２６を介して接続すると、最短距離で接続することができるとともに、ドリルなどを用いた切削加工により直線路２４，２５，２６を形成することができるので、加工が容易になる。
【００３１】
バルブ取付穴２０には湯水バルブ４が螺着され、湯水バルブ４によって、湯入口ポート２１と第１水入口ポート２２の一方または両方を湯水混合出口ポート２３に連通可能および遮断可能とされている。湯水バルブ４の構造は従来の周知のものと同じであるので説明を省略し、湯水バルブ４を機能的に説明すると、以下の通りである。
【００３２】
湯水バルブ４の操作レバー４ａは、左右方向に傾転可能で且つ前後方向に回動可能になっていて、湯水バルブの開閉および流量調節は操作レバー４ａの左右方向の傾転により行うことができ、水と湯の混合割合（０：１００、および１００：０を含む）は操作レバー４ａの前後方向の回動により行うことができる。図１から図４は、操作レバー４ａを左方限界に傾転した状態を示しており、この状態では操作レバー４ａの前後方向の回動位置に関わらず湯水バルブ４は閉弁状態となる。この閉弁状態から操作レバー４ａを右側に傾転すると湯水バルブ４は開弁され、傾転角度が大きくなるほど弁開度が大きくなり、流量を増大することができる。
【００３３】
操作レバー４ａの前後方向の回動操作範囲は、図３において二点鎖線Ａで示す位置（鉛直上方よりも後方に１０度回転した位置）から、二点鎖線Ｂで示す位置（前方水平位置）までの１００度の角度範囲となっている。すなわち、操作レバー４ａの回動操作範囲は後方側よりも前方側が大きくなるように設定されている。
前述の如く湯水バルブ４を開弁するように操作レバー４ａを右方に傾転させた状態を保持して、操作レバー４ａを図３において二点鎖線Ａで示す位置まで後方に回動すると、第１水入口ポート２２が閉塞されて湯入口ポート２１と湯水混合出口ポート２３が連通し、図３において二点鎖線Ｂで示す位置まで前方に回動すると、湯入口ポート２１が閉塞されて第１水入口ポート２２と湯水混合出口ポート２３が連通する。また、Ａ，Ｂ間に操作レバー４ａを位置させると、湯入口ポート２１と第１水入口ポート２２の両方が湯水混合出口ポート２３と連通し、Ａ，Ｂ間における停止位置に応じて湯と水の混合比を調節することができる。
【００３４】
一方、コア部１０の左端部には、図９に示すように、浄水バルブ５が螺合される有底のバルブ取付穴３０が形成されており、バルブ取付穴３０の底部には、第２水入口ポート３１と浄水器給水ポート３２が形成されている。図９、図１２、図１３に示すように、第２水入口ポート３１は、バルブ取付穴３０のほぼ中央に設けられており、浄水器給水ポート３２はバルブ取付穴３０の周囲に沿って環状に設けられている。そして、第２水入口ポート３１はコア部１０の内部に直線状に設けられた直線路３３を介して前述した直線路２５に接続されている。すなわち、第２水入口ポート３１は直線路３３，２５を介して水供給路１５に接続されている。浄水器給水ポート３２はコア部１０の内部に直線状に設けられた直線路３４を介して浄水器給水路１６に接続されている。なお、これら直線路３３，３４は、互いに干渉せず、且つ、コア部１０内に形成された前述した他の総ての通路およびシャワーホース挿通孔１４と干渉しないように配置されている。
【００３５】
バルブ取付穴３０には浄水バルブ５が螺着され、浄水バルブ５によって第２水入口ポート３１と浄水器給水ポート３２が連通・遮断される。
浄水バルブ５の操作部５ａは前後方向に回動可能になっていて、操作部５ａの突起部５ｂを図１に示すように上方に向けた状態において、第２水入口ポート３１と浄水器給水ポート３２とが連通されて浄水バルブ５は開弁となり、この状態から前方に９０度回転して、突起部５ｂを図２、および図４において実線で示すように前方に向けると、第２水入口ポート３１と浄水器給水ポート３２とは遮断されて浄水バルブ５は閉弁となる。
【００３６】
コア部１０の脚取付穴１２には脚部１１が螺着され固定され、ホルダ取付穴１３には、逆Ｊの字状をなす中空筒状のホルダ３が左右に回動可能に取り付けられている。そして、ホルダ３内には図１４に示すようにシャワーホース４０が移動可能に挿通されていて、シャワーホース４０の先端に連結されたノズル６がホルダ３の先端に着脱可能に取り付けられており、このノズル６をホルダ３から外し、シャワーホース４０をホルダ３から引き出して使用することができるようになっている。また、ノズル６は、吐水形態をストレートとシャワーに切り換えることができるように構成されている。
【００３７】
このように構成された湯水混合水栓１は、水、湯、湯水混合水、浄水の経路を模式的に示した図１４のように、給水路１５をフレキシブルホース５０、バルブ５１等を介して建物の水配管５２に接続し、給湯路１８をフレキシブルホース５３、バルブ５４等を介して建物の湯配管５５に接続し、浄水器給水路１６を流し台下に設置された浄水器７０の原水入口７１にホース５６等を介して接続し、湯水混合吐出路１７を連結パイプ５７等を介してシャワーホース４０に接続し、浄水器７０の浄水出口７２をホース５８、ジョイント５９等を介して連結パイプ５７に接続して使用される。
【００３８】
この湯水混合水栓１の使い方は従来のものと同じである。
まず、浄水器７０を通さずに水または湯または湯水混合水を吐水する場合には、浄水バルブ５を閉弁して、湯水バルブ４だけを開弁し、所望する吐水温度に応じて操作レバー４ａを前後方向へ回動する。浄水バルブ５を閉弁すると、浄水バルブ５によって第２水入口ポート３１と浄水器給水ポート３２が遮断されるので、建物の水配管５２から供給された水は浄水器７０には供給されなくなる。
【００３９】
そして、操作レバー４ａを図３におけるＢ位置まで前方に回動すると、湯水バルブ４によって湯入口ポート２１が閉塞されて第１水入口ポート２２と湯水混合出口ポート２３が連通するので、建物の水配管５２から供給された水が、第１水入口ポート２２から湯水混合出口ポート２３に流れ、さらに直線路２６、湯水混合吐出路１７、連結パイプ５７、シャワーホース４０を順に通って、ノズル６から吐水される。
【００４０】
また、操作レバー４ａを図３におけるＡ位置まで後方に回動すると、湯水バルブ４によって第１水入口ポート２２が閉塞されて湯入口ポート２１と湯水混合出口ポート２３が連通するので、建物の湯配管５５から供給された湯が、湯入口ポート２１から湯水混合出口ポート２３に流れ、さらに直線路２６、湯水混合吐出路１７、連結パイプ５７、シャワーホース４０を順に通って、ノズル６から吐水される。
【００４１】
また、操作レバー４ａを図３におけるＡ位置とＢ位置の間の任意の位置に停止すると、湯水バルブ４によって第１水入口ポート２２と湯入口ポート２１の両方が湯水混合出口ポート２３に連通するので、建物の水配管５２から供給された水と建物の湯配管５５から供給された湯が混合されて湯水混合出口ポート２３へと流れ込み、さらに直線路２６、湯水混合吐出路１７、連結パイプ５７、シャワーホース４０を順に通って、ノズル６から吐水される。
【００４２】
一方、浄水器７０で浄化した水を吐水する場合には、湯水バルブ４を閉弁して、浄水バルブ５だけを開弁する。湯水バルブ４を閉弁すると、湯入口ポート２１および第１水入口ポート２２と、湯水混合出口ポート２３とが遮断されるので、浄水器７０を通らない水、および湯が連結パイプ５７に流入することはない。その状態において浄水バルブ５を開弁すると、第２水入口ポート３１と浄水器給水ポート３２とが連通するので、建物の水配管５２から供給された水が、第２水入口ポート３１から浄水器給水ポート３２に流れ、さらに直線路３４、浄水器給水路１６、ホース５６を通って浄水器７０に供給され、浄水器７０によって浄化された浄水が、ホース５８、ジョイント５９、連結パイプ５７、シャワーホース４０を順に通って、ノズル６から吐水される。
【００４３】
このように構成された湯水混合水栓１では、コア部１０の脚取付穴１２において、湯水バルブ４が装着されるコア部１０の右側端部とシャワーホース挿通孔１４との間に、シャワーホース挿通孔１４の外周に沿って、給湯路１８と給水路１５と湯水混合吐出路１７と浄水器給水路１６が配置されているので、建物において正面右側に水配管５２が配管され、正面左側に湯配管５５が配管されていても、給水路１５をフレキシブルホース５０で建物の水配管５２に接続し、給湯路１８をフレキシブルホース５３で建物の湯配管５５に接続する際に、フレキシブルホース５０，５３を交差させないで配管することができ、作業性が極めてよい。特に、湯水混合吐出路１７と浄水器給水路１６を間に挟んで前方に給水路１５、後方に給湯路１８が配置されているので、給湯路１８と給水路１５とを前後方向に離れて配置することができる。
【００４４】
また、シャワーホース挿通孔１４をコア部１０の前後方向中央に配置したので、湯水混合水栓１の前後方向の重量バランスが良くなるとともに、意匠性も向上する。
さらに、コア部１０の右側端部とシャワーホース挿通孔１４との間に、シャワーホース挿通孔１４の外周に沿って、給湯路１８と給水路１５と湯水混合吐出路１７と浄水器給水路１６を配置しているので、シャワーホース挿通孔１４をコア部１０の前後方向中央に配置させつつ、コア部１０の直径を小さくすることができ、湯水混合水栓を小型、軽量にすることができる。その結果、コストダウンを図ることができる。
【００４５】
また、この湯水混合水栓１においては、円筒状のコア部１０に、別部品として形成された脚部１１とホルダ３を取り付ける構造を採用しているので、コア部１０を切削加工によって形成することが可能となる。これにより、従来の湯水混合水栓１００における栓本体１０１の加工に必要であった鋳造及び鍛造を用いないで済み、生産性が向上する。
【００４６】
さらに、この湯水混合水栓１においては、湯水バルブ４の回動操作範囲が、後方１０度から前方９０度の範囲となっていて、後方側よりも前方側が大きく設定されているので、湯水混合水栓１の後方側の設置スペースが狭い場所にも設置可能となり、操作性も向上する。
【００４７】
〔他の実施例〕
なお、この発明は前述した実施例に限られるものではない。
例えば、前述した実施例では、コア部の貫通孔をシャワーホース挿通孔とし、シャワーホースを挿通可能にガイドするホルダを設け、ホルダからシャワーホースを引き出して使用可能としているが、吐水管路にシャワーホースを用いず、屈曲不能な管路を用いることも可能である。
前述した実施例では、コア部の右端部に湯水バルブ、左端部に浄水バルブを配置したが、コア部の右端部に浄水バルブ、左端部に湯水バルブを配置することも可能である。
また、前述した実施例では、湯水バルブ４の回動操作範囲を、後方１０度から前方９０度の範囲としたが、この角度に限定されるものではなく、適宜の角度に設定可能である。
【符号の説明】
【００４８】
１  湯水混合水栓
２  栓本体
３  ホルダ
４  湯水バルブ（第１切換部）
５  浄水バルブ（第２切換部）
１０  コア部
１４  シャワーホース挿通孔（貫通孔）
１５  給水路
１６  浄水器給水路
１７  湯水混合吐出路
１８  給湯路
２１  湯入口ポート
２２  第１水入口ポート
２３  湯水混合出口ポート
２４，２５，２６  直線路（直線通路）
３１  第２水入口ポート
３２  浄水器給水ポート
３４  直線路（直線通路）
４０  シャワーホース（吐水管部、ホース）
７０  浄水器
７２  浄水出口
【図１】
0005577929.tif 000002
【図２】
0005577929.tif 000003
【図３】
0005577929.tif 000004
【図４】
0005577929.tif 000005
【図５】
0005577929.tif 000006
【図６】
0005577929.tif 000007
【図７】
0005577929.tif 000008
【図８】
0005577929.tif 000009
【図９】
0005577929.tif 000010
【図１０】
0005577929.tif 000011
【図１１】
0005577929.tif 000012
【図１２】
0005577929.tif 000013
【図１３】
0005577929.tif 000014
【図１４】
0005577929.tif 000015
【図１５】
0005577929.tif 000016
【図１６】
0005577929.tif 000017
【図１７】
0005577929.tif 000018